(57)【特許請求の範囲】
【請求項１】
リード線ではなくペーサ電極に連結された第１の接点と、
第２の接点と、
該第１の接点を用いて接続信号を提供するための電流注入モジュールと、
該第１および第２の接点に連結し、かつ該第２の接点に連結された該リード線を介して伝搬された対応する接続信号の波形を測定するための測定モジュールと、
該波形に基づいて該リード線が事前選択されたリード線タイプであるか否かを判定し、かつ比較結果を提供するための比較モジュールと、
該比較結果を示すためのインジケータモジュールと
を含む、装置。
【請求項２】
前記ペーサ電極はペーサ缶電極を含む、請求項１に記載の装置。
【請求項３】
前記対応する接続信号は電流を含む、請求項１に記載の装置。
【請求項４】
前記波形はシグネチャ波を含む、請求項１に記載の装置。
【請求項５】
前記事前選択されたリード線タイプに対応する事前選択された範囲の値を有するデータベースモジュールを含む、請求項１に記載の装置。
【請求項６】
装置であって、
リード線ではなくペーサ電極に連結された第１の接点と、
第２の接点と、
該第１の接点を用いて接続信号を提供するための電流注入モジュールと、
該第１および第２の接点に連結し、かつ該第２の接点に連結された該リード線を介して伝搬された対応する接続信号の波形を測定するための測定モジュールと、
該波形に基づいて該リード線が事前選択されたリード線タイプであるか否かを判定し、かつ比較結果を提供するための比較モジュールと
を含む、装置と、
該比較結果を受信するためのプロセッサと
を備えている、システム。
【請求項７】
前記ペーサ電極はペーサヘッダ電極である、請求項６に記載のシステム。
【請求項８】
前記プロセッサに連結し、かつ前記比較結果を示すためのディスプレイをさらに含む、請求項６に記載のシステム。
【請求項９】
前記プロセッサに連結するためのペーサプログラマに含まれたデータベースモジュールをさらに含む、請求項６に記載のシステム。
【請求項１０】
無線信号を用いて前記装置に連結し、かつ前記比較結果の指示を受信するためのプログラマをさらに含む、請求項６に記載のシステム。
【請求項１１】
マシンアクセス可能な媒体を備えている物品であって、該マシンアクセス可能な媒体には命令が格納されており、該命令は、マシンによって実行されたときに、
リード線ではなくペーサ電極に連結された第１の接点を用いて接続信号を提供することと、
該リード線を用いて、第１の電極に接続された第２の接点において該接続信号から発生した対応する接続信号に関連する波形を測定することと、
該波形に基づいて該リード線が事前選択されたリード線タイプであるか否かを判定した後に比較結果を提供することと
を該マシンが行うことをもたらす、物品。
【請求項１２】
前記第２の接点は心房のリング電極に連結される、請求項１１に記載の物品。
【請求項１３】
前記比較結果は、前記事前選択されたリード線タイプ以外のリード線タイプを用いて前記第１の電極が前記第２の接点に接続されたことの指示を含む、請求項１１に記載の物品。
【請求項１４】
前記命令は、前記マシンによってアクセスされたときに、前記比較結果をデータベースに格納することを該マシンが行うことをもたらす、請求項１１に記載の物品。
【請求項１５】
前記ペーサ電極はペーサヘッダ電極を含む、請求項１に記載の装置。
【請求項１６】
前記ペーサ電極はペーサ缶電極を含む、請求項６に記載のシステム。
【請求項１７】
前記ペーサ電極はペーサヘッダ電極を含む、請求項１１に記載の物品。
【請求項１８】
前記ペーサ電極はペーサ缶電極を含む、請求項１１に記載の物品。
【発明の詳細な説明】
【技術分野】
【０００１】
本発明の実施態様は一般に測定装置、システム、方法に関する。より詳細には、本発明の実施態様は、例えば、運用に先立って、心臓律動管理デバイスに接続された埋め込み型心臓リード線を含む電気的接続の正確性と完全性とを検証する測定装置、システム、方法に関する。
【背景技術】
【０００２】
ペースメーカを含む心臓律動管理デバイスの設定と埋め込みの間、治療に当たる医師はパルス発生器に１本又は複数本のリード線を接続し、パルス発生器を外科医のポケットに挿入し、システムが適切に動作するか否かを試験する。ただし、正確なリード線接続と適切な機能の識別は時間がかかり、厄介な作業である。これは、現在の律動管理デバイスが前より複雑になっていることに一部は起因する。
【０００３】
一般に入手可能な心臓再同期装置は、最大８つの電極を備えた３本のリード線を含む。技術の進歩によってリード線、電極、センサの数を増やすことができる。
【発明の開示】
【発明が解決しようとする課題】
【０００４】
低電圧ＩＳ−１（国際標準化機構（ＩＳＯ）５４８１−３：２０００  Ｉｍｐｌａｎｔｓ  ｆｏｒ  Ｓｕｒｇｅｒｙ−Ｃａｒｄｉａｃ  Ｐａｃｅｍａｋｅｒｓ−Ｐａｒｔ  ３：Ｌｏｗ−ｐｒｏｆｉｌｅ  ｃｏｎｎｅｃｔｏｒｓ（ＩＳ−１）ｆｏｒ  ｉｍｐｌａｎｔａｂｌｅ  ｐａｃｅｍａｋｅｒｓ）、及び高電圧ＤＦ−１（ＩＳＯ  １１３１８：１９９３  Ｃａｒｄｉａｃ  Ｄｅｆｉｂｒｉｌｌａｔｏｒｓ−Ｃｏｎｎｅｃｔｏｒ  Ａｓｓｅｍｂｌｙ  ＤＦ−１  ｆｏｒ  ｉｍｐｌａｎｔａｂｌｅ  ｄｅｆｉｂｒｉｌｌａｔｏｒｓ−Ｄｉｍｅｎｓｉｏｎｓ  ａｎｄ  ｔｅｓｔ  ｒｅｑｕｉｒｅｍｅｎｔｓ）が確立されてさまざまなコネクタ・タイプを区別し、標準化している。ただし、これより新しい標準も、高電圧接点（例えば、最大８００ボルトの）と混在する低電圧接点（例えば、約１．０ボルトから約１０．０ボルトの）を有するコネクタ・ポートを使用できるよう動作する。このような接点は、外観と寸法とがほぼ同様又は同一である。
【０００５】
したがって、より柔軟な律動管理デバイスの設計と組み合わせた新しい標準によって、究極的には、ポート内の同じ接点タイプにいくつかのタイプのリード線を接続することができる。不適切な接続もより容易に発生しうる。ただし、手術の終了に先立って、リード線の接続の完全性と機能性とが自動的に検証されれば、埋め込み手技の有効性は向上するであろう。
【課題を解決するための手段】
【０００６】
本明細書に記載する装置、システム、方法は、より信頼できる方法で、心臓律動管理デバイスへの不正確な心臓リード線及び／又は接続不良を検出する機会を提供する。この手法は、使用可能な接点アレイ上に電圧を通すステップ又は電圧を印加するステップと、さまざまなリード線を通過するいくつかの対応する信号を測定するステップと、測定値を予想される結果のデータベースと比較することでリード線が正しく接続されたか否かを判定するステップとを含む。不適切な接続状態を直接医師又は他のユーザに示すようにしてもよい。
【０００７】
本発明の一実施態様による装置の例は、接続信号を供給する第１の接点（例えば、ペースメーカの缶の電極に接続された）と、第２の接点（例えば、ペースメーカのリード線と電極に接続された）であって、前記第２の接点に接続された電極を用いて対応する接続信号を検出する第２の接点と、前記第１及び第２の接点に接続され、対応する接続信号に関連する特性（例えば、電圧又はインピーダンス）を測定する測定モジュールと、前記ペースメーカのリード線が正しく接続されているか否かを判定する比較モジュールと、前記比較結果を表示する表示モジュールとを含む。
【０００８】
本発明のさまざまな実施態様によるシステムは、プロセッサに接続された装置を含む。このシステムはさらにプロセッサによって制御される電圧又は電流発生器を含む。
【０００９】
本発明のさまざまな実施態様による方法は、リード線を用いて電極を１つの接点に接続するステップと、別の接点から接続信号を供給するステップと、前記第１の接点で前記対応する接続信号に関連する特性を測定するステップと、前記リード線が正しく接続されているか否かを表示する比較結果を判定するステップとを含む。この方法は前記比較結果を表示するステップと記録するステップとをさらに含むことができる。
【００１０】
この概要は以下の主題の例示的な概要を記述するためのものであって、本発明のさまざまな実施形態の網羅的又は排他的な説明をするためのものではない。以下の詳細な説明では、それらの実施形態の詳細を記述する。
【発明を実施するための最良の形態】
【００１１】
以下の本発明のさまざまな実施形態の詳細説明では、そのようなさまざまな実施形態の最良の形態を含むさまざまな実施形態の構築及び使用に関する情報について説明する。したがって、その一部を構成する、本発明を実施できる特定の実施形態を限定的でなく例示的に示す添付図面を参照する。図面では、いくつかの図で一貫して同様の数字がほぼ同様の構成要素を記述する。図示の実施形態は、当業者が本明細書で開示する教示を実行できるように十分に詳細に記載している。本開示の範囲から逸脱することなく、電気的、構造的、論理的な代替形態や変形形態を構築できるように、他の実施形態を使用し、上記実施形態から他の実施形態を引き出すこともできる。したがって、以下の詳細な説明は、限定的な意味で解釈すべきではなく、本発明のさまざまな実施形態の範囲は、添付の請求の範囲とそのような請求の範囲に相当する完全な範囲の均等物によってのみ定義される。
【００１２】
本明細書に記載する実施形態は、心室及び／又は心房のペーシング治療に関連する。そのような実施形態は、人間その他の哺乳動物の心臓に適用することができる。実施形態はまた、単一チャンバ又は２つのチャンバを含む場合もある。また、本明細書に記載する装置、システム、方法は、埋め込むデバイスに限定されず、人体の外部のデバイスにも使用できる。さらに、心臓律動管理の範囲内及び範囲外のその他のデバイスも、本発明のさまざまな実施形態の範囲を逸脱することなく、本明細書に掲げるさまざまな概念の形態を採用することができる。
【００１３】
接続の完全性と機能性とを判定する装置は、心臓律動管理デバイスの一部として含まれる２つの接点の間に生成される信号に関連する特性を測定する。インピーダンス、タイミングその他の測定を行う機構を提供することで、比較モジュールと予想される結果のデータベースとの比較を用いて迅速かつ徹底的に複数のリード線システムの正確な接続を評価することができる。
【００１４】
図１は本発明のさまざまな実施形態による装置と、物品と、システムの概略ブロック図である。心臓ペースメーカ・ユニット１０２内に収容できる装置１００は、１つ又は複数のポート１０３を含む。各ポートは１つ又は複数の接点１０４、１０５、１０６を含む。
【００１５】
リード線を用いて接点に電極を取り付けることができる。例えば、第１の接点１０４を、第１のリード線１０７の一方の電極に接続できる。リード線１０７は、例えば、電極ペアを有する右心房（ＲＡ）リード線１０７であって、接点１０４を、心臓１２０の右心房１１４内に配置されたＲＡリング電極１０８又はＲＡチップ電極１１０のいずれかに接続する。また、第２の接点１０５は、リード線１０７内の他方の電極、又は第２のリード線１２４内に含まれる１つの電極に接続される。リード線１２４は、例えば、電極ペアを含む左心室（ＬＶ）リード線１２４であって、接点１０５を、左心室１３２内に配置されたＬＶリング電極１２６又はＬＶチップ電極１２８のいずれかに接続させる。第３のリード線１３６（例えば、電極ペアを含む右心室（ＲＶ）リード線１３６であって、接点１０６が、右心室１４４内に配置されたＲＶリング電極１３８又はＲＶチップ電極１４０のいずれかに接続されているリード線）に接続されている第３の接点１０６などの追加の接点もある。
【００１６】
したがって、接点１０４、１０５、１０６のいずれかを、装置１００の設計者が望むように、リード線１０７、１２４、１３６を介して電極１０８、１１０、１２６、１２８、１３８、１４０のいずれかに接続できる。さらに、任意の数とタイプの信号１４８、１５０、１５２（例えば、電圧又は電流）を接点１０４、１０５、１０６から電極１０８、１１０、１２６、１２８、１３８、１４０に、またその逆方向に（すなわち、電極から接点に）伝搬させることができる。
【００１７】
装置１００は測定モジュール１５６をさらに含む。モジュール１５６は接点１０４、１０５、１０６に通信可能に接続され、信号１４８，１５０、１５２の１つ又は複数の特性を測定する。そのような特性は、これに限定はされないが、電圧、電流、インピーダンス、波形／波形形状（例えば、正弦、方形、シグナチャーなど）及び／又は時間差を含む。これらの特性は、１つ又は複数のリード線１０７、１２４、１３６（例えば、電極１０８、１１０、１２６、１２８、１３８、１４０に接続されたタイプのリード線）及び／又はその間に存在する連通組織及び流体（例えば、１つ又は複数の心房／心室を含む心臓１２０）によって影響される（又はそれと関連する）ことがある。また装置１００は比較モジュール１６４と、表示モジュール１６８とを含む。
【００１８】
電流発生器１７０などの電流注入デバイス１７０を用いて、任意の電極１０８、１１０、１２６、１２８、１３８、１４０と接点１７７に接続されたヘッダ電極１７４と缶電極１７６などの任意のペーサ電極との間に電流１７２を注入することができる。次いで別のリード線電極と別のペーサ電極との間に発生する対応する電圧Ｖ１、Ｖ２を測定モジュール１５６で測定することができる。あるいは、さまざまな組み合わせの電極間に電圧を印加し、結果として得られる電流（例えば、信号１４８、１５０、１５２に対応する）を測定できる。こうして、電極ペア１０８、１１０、１２６、１２８、１３８、１４０に対応する電極を含む各電極１０７、１２４、１３６は、注入又は測定される電流を伝搬でき、電圧を印加又は検出することができる。装置１００内にスイッチ１７８を含めて注入された電流１７２の分配と、特に結果として得られる信号電圧Ｖ１、Ｖ２の獲得とを制御することができる。
【００１９】
こうして、例えば、おそらくは缶電極１７６に接続された１つの接点１７７を用いて、電流１７２などの接続信号を接点１０４に供給できる。接点１０５などの他の接点を用いて、リード線１２４で接点１０５に接続された電極１２６、１２８を用いて対応する接続信号１５０を検出することができる。測定モジュール１５６を用いて、対応する接続信号１５０に関連する特性、例えば、その電流、電圧、インピーダンス、及び／又は時間差（すなわち、電流パルス１７２の注入後の受信又は伝搬遅延の時間差）を測定することができる。
【００２０】
比較モジュール１５６を用いて、例えば、リード線１０７、１２４、１３６が接点１０４、１０５、１０６にそれぞれ正しく接続されているか否かを判定できる。いくつかの実施形態では、判定は、１つ又は複数の測定された特性（対応する接続信号１４８、１５０、１５２に関連する）を適当な事前選択された範囲の値と比較して比較結果を生成させることで実行できる。したがって、例えば、約１０ｍｍ2の表面積を有するコーティング電極１１０を備えたリード線１０７は約１８０〜約３００オームのインピーダンスを有すると予想される。ただし、プラチナコーティング・マイクロチップ電極を有するリード線１２４は適正な動作時に約１０００〜約１４００オームのインピーダンスを有すると予想される。リード線１０７が約１２００オームのインピーダンスを有すると判定された場合、比較結果の表示は、リード線１０７が事前選択されたリード線のタイプ（例えば、約１８０〜約３００オームのインピーダンスを有するリード線）ではなかったという表示になる。
【００２１】
したがって、比較結果の表示は、測定インピーダンスと予想インピーダンス範囲との対比を含む。とりわけ、別の可能性は、第１と第２の電極の導通応答時間比較結果である。例えば、心房１１４が電流１７２を用いてペーシングされる場合、心室１４４内の測定応答１５２は約１２０ミリ秒〜約１８０ミリ秒の予想範囲内で発生するはずである。あるいは、比較結果の表示は、単に、結果が「正確」又は「良好」又は「範囲外」又は「接続不良の」製品、又は単に「不良」であってもよい。
【００２２】
表示モジュール１６８を用いて、プロセッサ１８２及び／又はペーサ・プログラマ１８３などの比較結果を表示できる。結果は、プログラマ１８３に接続された、又は含まれるスピーカ１８４又はディスプレイ１８４などの表示デバイス１８４に表示できる。図に示すように、比較及び／又は表示モジュール１６４、１６８は、装置１００内に配置でき、装置１００の外部に接続させることもできる。すなわち、プログラマ１８３内などのように、リモート位置に接続させることもできる。その場合、無線信号１８５を用いて測定した特性１８５及び／又は比較結果１８５、及び／又は結果１８５の表示を装置１００とプログラマ１８３との間で通信することができる。
【００２３】
装置１００の内部、外部、又はプログラマ１８３内などのように、リモート位置にあるデータベース・モジュール１８６を用いて、装置１００に接続されたリード線１０７、１２４、１３６に対応するように選択された範囲の値を含む、複数の予想範囲の値を記憶させておくことができる。ユーザの中でも特に、さまざまなリード線のタイプの製造業者、技術者、医師は、データベース・モジュール１８６に定期的にアクセスして記憶された情報を適宜更新することができる。
【００２４】
本発明は、上記の装置１００と、装置１００に通信可能に接続できるプロセッサ１８２とを含む心臓律動管理システム１８０などのシステム１８０を含むことは容易に理解できるであろう。プロセッサ１８２は、プログラム・データ又は測定モジュール１５６を介して獲得したデータなどのデータ１８８を含むメモリ１８７に接続されている。プロセッサ１８２を用いて、測定モジュール１５６、比較モジュール１６４、電流注入デバイス１７０、スイッチ１７８などの装置１００のさまざまな要素を制御することができる。
【００２５】
上記のように、１つ又は複数の接点１０４、１０５、１０６を１つ又は複数の電極１０８、１１０、１２６、１２８、１３８、１４０に接続することができる。この手順は、接点１７７をペーサ・ヘッド電極１７４又はペーサの缶電極１７６に接続するステップなどの、接点をペーサ電極に接続するステップを含む。複数の接点１０４、１０５、１６０は単一のポート１０３に収容できる。接点１０４、１０５、１０６は異なっていても、ほぼ同一でも、又は同一であってもよい。測定された信号１４８、１５０、１５２に関連するさまざまな特性を測定し、データベース１８６内に記憶された範囲の値と比較し、又は互いに比較することができる。例えば、特性は、約０．５ボルト〜約１０．０ボルトの測定電圧に関連するインピーダンスである。又は、別の例として、特性は約５０ミリ秒〜約２５０ミリ秒の範囲の２つの電極間の導通応答である。比較結果は、すべての接続が正しいこと、特定の接点と特定の電極との間に接続不良が存在すること、及び／又はある種のリード線が予想タイプである（又はない）ことを示すことができる。
【００２６】
電流注入デバイスや測定電圧は、本発明の特定の実施形態を示すために使用されていることに留意されたい。ただし、他の実施形態も、同じ結果に達するために、電圧源、電圧源と電流源の組み合わせ、測定した電流、測定した電圧と電流の組み合わせを使用することができる。これは、リード線と電極の完全性及び機能性の判定を導く特性を信頼性を持って引き出すことができるさまざまな信号の測定である。
【００２７】
装置１００、心臓ペーサ・ユニット１０２、接点１０４、１０５、１０６、測定モジュール１５６、比較モジュール１６４、表示モジュール１６８、電流注入デバイス１７０、スイッチ１７８、システム１８０、プロセッサ１８２、プログラマ１８３、表示デバイス１８４、データベース・モジュール１８６、メモリ１８７は本明細書ではすべて「モジュール」と特徴付けられる。そのようなモジュールは、装置１００とシステム１８０の設計者が望むように、また、本発明のさまざまな実施形態の特定の実施形態で適宜、ハードウェア回路、及び／又はプロセッサ及び／又はメモリ回路、ソフトウェア・プログラム・モジュール、及び／又はそれらの組み合わせを含むことができる。
【００２８】
本発明の装置とシステムは、心臓律動管理デバイスを含むシステム以外のシステムに適用でき、したがって、本発明はそのように限定されないことを当業者であれば理解するであろう。装置１００とシステム１８０の図は、本発明の構造の概略を理解するためのものであって、本明細書に記載する構造物を利用する装置やシステムのすべての要素と特徴とを完全に説明するものではない。
【００２９】
本発明の新規の装置とシステムとを含むことができる用途は、通信及び信号処理回路、モデム、プロセッサ・モジュール、埋め込み型プロセッサに使用され、さらにマルチレイヤ、マルチチップ・モジュールを含む特定用途向けモジュールに使用される電子回路を含む。そのような装置やシステムをさらに、携帯電話、パーソナル・コンピュータ、無線機、その他などのさまざまな電子システム内の部分構成要素として使用することもできる。
【００３０】
図２は、本発明の一実施形態による方法を示す流れ図である。方法２１１は、ブロック２２１で、１つ又は複数の電極を、（例えば、心房チップ及びリング電極を有する心房リード線などの、１つ又は複数の心臓ペーシング・リード線を接点に接続することで）１つ又は複数の接点に接続するステップと、ブロック２２５で、接続された接点以外の接点（ペーサの缶電極に接続した接点など）を用いて電流又は電圧などの接続信号を供給するステップとから開始する。この方法は、次に、接点の供給された接続信号から発生する、接続された接点に現れる対応する接続信号に関連する１つ又は複数の特性を測定するステップをブロック２３１で実行する。上記のように、特性は、電圧（注入された電流の接続信号から発生する）、電流（印加された電圧の接続信号から発生する）、インピーダンス、供給された接続信号と供給された接続信号などから発生する対応する接続信号との間の遅延の時間差を含むことができる。
【００３１】
この方法は、次いで、おそらくは測定された特性を１つ又は複数の範囲の値と比較して比較結果を判定することでペーシング・リード線が事前選択されたタイプか否かを判定するステップをブロック２３５で実行する。比較結果が、おそらくは比較結果が所望の範囲内にないために（又は、リード線接続を正しく行っているなど、結果が予想範囲内にあっても）リード線が事前選択されたタイプではないという判定の場合、この方法はブロック２５１で比較結果を表示するステップを含むことができる。この方法は、次に、装置、システム、プログラマ内に含まれるメモリ内の、又は比較に使用する範囲の値を含むデータベース内に含まれる比較結果２５５を記録するステップを実行する。次いでこの方法はブロック２２１に戻って、追加の電極が接続され、又はブロック２２５に戻って、追加の接続信号が供給され、他の対応する接続信号を測定することができる。あるいは、比較結果が予想する値の範囲内にある場合、この方法はブロック２２１又は２２５、又はブロック２５５に進み、比較結果を記録する。
【００３２】
上記の方法を参照すると、本発明のいくつかの実施形態を、プログラム・モジュールなどの、コンピュータによって実行されるコンピュータ実行命令によって実現することができる。一般に、プログラム・モジュールは、特定のタスクを実行する、又は特定の抽象的なデータ・タイプを実施するルーチン、プログラム、オブジェクト、構成要素、データ構造体などを含むことができる。したがって、本明細書に記載するモジュール１００、１０２、１０４、１０５、１０６、１５６、１６４、１６８、１７０、１７８、１８０、１８２、１８３、１８４、１８７のいずれも、本発明のさまざまな実施形態の教示による方法を実行する、１つ又は複数のプロセッサで実行可能なソフトウェアを含む。
【００３３】
本開示を読んでこれを理解すれば、コンピュータ・ベースのシステム内のコンピュータ可読媒体からソフトウェア・プログラムを実行してソフトウェア・プログラム内に定義された機能を実行する方法は当業者にとっては明らかであろう。さらに、本明細書に記載する方法を実施し、実行するために設計された１つ又は複数のソフトウェア・プログラムを作成するために使用できるさまざまなプログラミング言語は当業者にとっては明らかであろう。プログラムは、Ｊａｖａ（登録商標）、Ｓｍａｌｌｔａｌｋ、又はＣ＋＋などのオブジェクト指向言語を用いたオブジェクト指向フォーマットで構成することができる。あるいは、プログラムは、ＣＯＢＯＬ又はＣなどの手続き形言語を用いた手続き向きフォーマットで構成することができる。ソフトウェア構成要素は、アプリケーション・プログラム・インタフェース（ＡＰＩ）又は遠隔手続き呼び出し（ＲＰＣ）などのプロセス間通信技法などの、当業者にはよく知られているいくつかの機構のいずれかを用いて通信することができる。ただし、本発明のさまざまな実施形態の教示は、いかなる特定のプログラミング言語又は環境にも限定されない。
【００３４】
以上の説明から明らかなように、図１を再度参照すると、装置１００の動作中にプロセッサ又は制御論理１８２はメモリ１８７などのある種の形式のコンピュータ可読媒体にアクセスできる。したがって、本発明の一実施形態による装置１００を有するシステム１８０は揮発性（例えば、ランダム・アクセス・メモリ）又は不揮発性（例えば、フラッシュ・メモリ）のメモリ１８７に接続されたプロセッサ１８２をさらに含むことができる。
【００３５】
例えば、これに限定はされないが、コンピュータ可読媒体はコンピュータ記憶媒体と通信媒体を含むことができる。コンピュータ記憶媒体は、コンピュータ可読命令、データ構造体、プログラム・モジュール又はその他のデータなどの情報１８８を記憶する任意の方法又は技術内で実施される揮発性及び不揮発性、着脱式及び非着脱式媒体を含む。通信媒体は特に、任意の情報伝送媒体を含む搬送波１８５、符号化情報信号１８５、及び／又はその他の伝送機構などの変調データ信号１８５内のコンピュータ可読命令、データ構造体、プログラム・モジュール又はその他のデータを具体化する。「変調データ信号」という用語は、信号内の情報を符号化するような方法でその特性の１つ又は複数が設定又は変更される信号を意味する。例えば、これに限定はされないが、通信媒体は有線ネットワーク又は直接線接続などの有線媒体と、音声、光、無線周波数、赤外線及び／又はその他の無線媒体も含む。上記の任意の組み合わせもコンピュータ可読及び／又はアクセス可能媒体の範囲内に含まれる。
【００３６】
したがって、本発明の別の実施形態が、関連データ１８８を有するマシン・アクセス可能な媒体又はメモリ１８７を含む物品１９０を含むことは容易に理解できるであろう。前記データ１８８がアクセスされると、マシン（すなわち、プロセッサ又は制御論理１８２）は、第１の接点を用いて接続信号（例えば、缶電極に接続された第１の接点に注入された電流）を供給する処理、別の電極に接続された（例えば、心臓リード線を用いて）第２の接点で供給された接続信号から発生する対応する接続信号に関連する第１の特性（例えば、電圧）を測定する処理、第１の特性を第１の範囲の値と比較して第１の比較結果を判定することでリード線が事前選択されたタイプであるか否かを判定する処理、第１の特性が第１の値の範囲内にない場合に第１の比較結果を表示する処理などの処理を実行する。第１の接点又はその他の接点や追加のリード線を用いて、その他の接続信号を供給することができる。他方の供給された接続信号から発生する対応する接続信号に関連する他の特性を測定して、各リード線が正しく接続されているか否かを判定できる（リード線が予想された、又は事前選択されたリード線タイプであるか否かを判定することで）。そのような判定は、適当な範囲の値を測定された特性と比較することで達成でき、比較結果（それらが予想範囲内であるか否かにかかわらず表示できる）を決定するために使用される。
【００３７】
例えば、第１の接点がペーサの缶電極に接続され、第２の接点が心房のリング電極に接続され、第３の接点が心房のチップ電極に接続されていると仮定すると、第３の接点での対応する接続信号に関連する特性を測定する処理は、心房のリング電極とペーサの缶電極との間に電流を注入した後の心房のチップ電極とペーサの缶電極との間の電圧を測定する処理を含むことになる。上記及びその他の処理は、プログラマ及び上記の本発明のさまざまな実施形態を用いて、埋め込み動作時だけでなくその後の患者の定期的な検査時に実行できる。
【００３８】
以上、本明細書で特定の実施形態について図示し、説明してきたが、同じ目的を達成するように計算された任意の構成を図示の特定の実施形態と差し替えることができることは当業者には明らかであろう。この開示は、本発明のさまざまな実施形態の任意の、及びすべての改変又は変形を含むものである。上記の詳細な説明は、例示的なものであって限定的ではないことを理解されたい。上記の実施形態の組み合わせ、及び本明細書に具体的に記載していないその他の実施形態は上記説明を読めば当業者には明らかであろう。本発明のさまざまな実施形態の範囲は、上記の構造や方法が使用される任意の他の用途を含む。したがって、本発明のさまざまな実施形態の範囲は、添付の請求の範囲と、そのような請求の範囲に相当する完全な範囲の均等物に関して決定されなければならない。
【００３９】
注意すべき点として、読者に本技術開示の性質を迅速に確認させる３７Ｃ．Ｆ．Ｒ．§１．７２に準拠する要約書が記載されている。この要約書は、特許請求の範囲を解釈又は限定するためには使用されないという理解の下に提出されている。また、前記詳細な説明では、本開示を簡素化するために単一の実施形態にさまざまな特徴をまとめている。この開示方法は、本発明の特許請求の範囲の実施形態が各請求項に明示した内容以上の特徴を必要とする意図の反映であると解釈してはならない。逆に、特許請求の範囲に示すように、集約的な主題は単一の開示された実施形態のすべての特徴よりも少ない内容である。したがって、特許請求の範囲を詳細な説明に組み込み、各請求項は別々の好ましい実施形態として独立したものとする。
【図面の簡単な説明】
【００４０】
【図１】本発明のさまざまな実施形態による装置、物品及びシステムの概略ブロック図である。
【図２】本発明の一実施形態による方法を示す流れ図である。
【図１】
0004632790.tif 000002
【図２】
0004632790.tif 000003